(57)【要約】【目的】  テレビ番組を見ながら当該番組を家庭のビデオレコーダに録画させる処理を簡単に行うことができるテレビ視聴機能付き携帯通信機器を提供する。【構成】  視聴中のテレビ番組を自宅のビデオレコーダに録画させたいときには操作部１６に設けられているビデオレコーダ録画ボタンを押下するだけでよい。ＣＰＵ１４は、ビデオレコーダ録画ボタンの押下を検出すると、現在の選択チャンネルから放送局ＩＤを特定する。そして、放送局ＩＤ、合言葉、録画終了時刻等より、ビデオレコーダ側の録画予約方式に合わせた送信データ（録画指令送信文字列）を作成する。例えば、メール方式やデータ登録方式でデータサーバからビデオレコーダへの情報のやり取りがメールでされている場合は、ｏｐｅｎ〔あいことば〕ｔｖ〔放送局ＩＤ〕〔開始時刻〕〔終了時刻〕〔日付〕といったフォーマットの文字列（メール文）を送信する。【選択図】      図１
2006020248.tif 000002
【特許請求の範囲】
【請求項１】
テレビ放送を受信する手段及び情報の通信機能を備えたテレビ視聴機能付き携帯通信機器において、所定ボタンが操作されたときに現在受信中のテレビ放送の選局情報となる文字列を予め記憶されている文字列に組み入れて録画指令送信文字列を作成する手段と、前記録画指令送信文字列を予め指定されている宛て先に送信する手段と、を備えたことを特徴とするテレビ視聴機能付き携帯通信機器。
【請求項２】
請求項１に記載のテレビ視聴機能付き携帯通信機器において、前記所定ボタンの操作回数で録画指令における録画時間が決定され、この録画時間に基づく文字列を組み入れて前記録画指令送信文字列を作成するように構成されたことを特徴とするテレビ視聴機能付き携帯通信機器。
【請求項３】
請求項１又は請求項２に記載のテレビ視聴機能付き携帯通信機器において、前記録画指令送信文字列をメール文として送信することを特徴とするテレビ視聴機能付き携帯通信機器。
【請求項４】
請求項１又は請求項２に記載のテレビ視聴機能付き携帯通信機器において、ネットワーク上に存在するリソースへの到達方法を特定する表記に前記録画指令送信文字列を組み入れて送信することを特徴とするテレビ視聴機能付き携帯通信機器。
【請求項５】
テレビ放送を受信する手段及び情報の通信機能を備えたテレビ視聴機能付き携帯通信機器において、所定ボタンが操作されたときに現在受信中のテレビ放送の選局情報が組み入れられた録画指令リモートコントロールコードを作成する手段と、前記録画指令リモートコントロールコードに基づいてリモートコントロール信号を送出する手段と、を備えたことを特徴とするテレビ視聴機能付き携帯通信機器。
【発明の詳細な説明】
【技術分野】
【０００１】
この発明は、テレビ視聴機能付き携帯通信機器に関する。
【背景技術】
【０００２】
従来より、テレビ視聴機能付き携帯電話が提供されており、かかる携帯電話は内蔵の小型チューナによって地上波アナログ放送を受信し、液晶表示パネルに受信映像を映し出すようになっている。また、地上波ディジタル放送においても同様に小型装置で受信することが可能である（特許文献１）。しかし、携帯電話などモバイル機器の画面は小さく、映像の精細さに欠けるため、家庭のテレビなどで見たいという要求や、現在見ている番組を後から何度も見られるよう保存しておきたいという要求がでてくる。
【０００３】
外出先から録画予約する機能はビデオレコーダにおけるネットワーク録画予約機能として実現されており、わざわざ家にいる家族や知人に番組の録画をお願いしなくても自分で録画予約をすることが可能である。このネットワーク録画予約機能を実現するためには外出先にある機器から家庭内のビデオレコーダに録画する番組の情報（放送チャンネル、開始時刻、終了時刻など）を伝送する必要がある。現在主流となっているＩＰｖ４（internet protocol version ４）環境では、家庭内にある機器に固定のグローバルアドレスが割当てられることが少ない上、ネットワークセキュリティを考慮してインターネットの入り口にファイアウォールを設置してインターネットから家庭内の機器に不正にアクセスできないようになっていることが多い。このため、ネットワーク録画予約機能を実現するためには、外出先から家庭内のビデオレコーダに番組情報を伝送する特殊な仕組みが必要となる。この仕組みをその方法と特徴から、ここでは「メール方式」「データ登録方式」「リアルタイム方式」の大きく３つに分類する。以下、それぞれの方式について説明する。
【０００４】
まず、図５に示す「メール方式」について説明する。ユーザは外出先からＰＣ（パーソナルコンピュータ）や携帯電話を使って録画指令情報が書かれた定型フォーマットのメールを、予めビデオレコーダに登録しているメールサーバに送信する。ビデオレコーダは、一定時間間隔で登録されているビデオサーバのアカウントのメールを読み出しており、読み出したメールの中に定型のメールがあった場合、自動的に録画指令情報を抽出して録画予約処理を行う。情報伝達方法にリアルタイム性が求められないメールを使っている上、ビデオレコーダからのメール読み出しについても、メールがメールサーバに届いて直ぐというわけにはいかないためリアルタイムに録画することはできない。
【０００５】
次に、図６に示す「データ登録方式」について説明する。ユーザはインターネット上に設置されたＷｅｂサーバに外出先からＰＣや携帯電話を使ってアクセスし、Ｗｅｂページに書かれたＥＰＧ（電子プログラムガイド）から予約する番組を選択する。Ｗｅｂサーバは同じくインターネット上のデータサーバにユーザから選択された番組の情報を転送しておく。ビデオレコーダは、メール方式と同様に、一定時間間隔でデータサーバに登録されているデータの読み出しを行い、データサーバに録画指令情報が存在すればそれを読み出し、自動的に録画指令内容を抽出して録画予約処理を行う。Ｗｅｂサーバとデータサーバ、データサーバとビデオレコーダの情報のやりとりは、ＰＯＰ（メール受信プロトコル）やＨＴＴＰ（Ｗｅｂプロトコル）など任意のプロトコルによって行われるため、データサーバは同時にメールサーバやＷｅｂサーバなどの機能を持つ。この方式もメール方式と同様、ビデオレコーダのデータの読み出しがデータサーバに情報が届いてすぐというわけにはいかないため、リアルタイムに録画することはできない。メール方式と似ているが、ここでは外出先からユーザがメールを送信するか、Ｗｅｂページから番組を選択するかによって区別することとしている。
【０００６】
最後に「リアルタイム方式」について説明する。この方式は、上述した２方式とは違いリアルタイムでビデオレコーダまで情報を伝達できる。実現方法にはいくつかあるが一例を図７に示す。これはＶＰＮ（virtual private network ）とダイナミックＤＮＳ（domain name system）を使って外出先から家庭内のビデオレコーダに直接アクセスできる環境を作り、ビデオレコーダ内のＷｅｂサーバと外出先のＰＣや携帯電話が直接データをやり取りする。この方式はリアルタイム性が特徴であるため、外出先のユーザはＷｅｂブラウザを用いてＨＴＴＰで情報をやり取りすることが多い。
【０００７】
これらのネットワーク録画予約機能を用いることにより、外出先で携帯電話のテレビを見ていて、突発的に家庭のビデオレコーダに番組を録画したいという要求をある程度満たせることになる。
【特許文献１】特開２００３−１１０９５５号公報
【発明の開示】
【発明が解決しようとする課題】
【０００８】
しかしながら、上述したネットワーク録画機能を利用するためには、Ｗｅｂブラウザを用いてインターネット上にあるＷｅｂサーバにアクセスするか、家庭のビデオレコーダ内のＷｅｂサーバにアクセスするか、或いはメーラからある決まったフォーマットの情報を送信しなければならないため、画面の小さい携帯電話では満足にテレビを見ながら録画予約処理をすることができない。このため、録画予約処理をしている間は見たいテレビが見られなくなる。また、現在見ている番組のチャンネルと放送時刻などをユーザが認識してＷｅｂページのＥＰＧから番組を選択するか、直接フォームに選局情報（番組特定情報）を入力するといった煩わしい録画予約処理をしなければならない。
【０００９】
この発明は、上記の事情に鑑み、テレビ番組を見ながら当該番組を家庭のビデオレコーダに録画させる処理を簡単に行うことができるテレビ視聴機能付き携帯通信機器を提供することを目的とする。
【課題を解決するための手段】
【００１０】
この発明のテレビ視聴機能付き携帯通信機器は、上記課題を解決するために、テレビ放送を受信する手段及び情報の通信機能を備えたテレビ視聴機能付き携帯通信機器において、所定ボタンが操作されたときに現在受信中のテレビ放送の選局情報となる文字列を予め記憶されている文字列に組み入れて録画指令送信文字列を作成する手段と、前記録画指令送信文字列を予め指定されている宛て先に送信する手段と、を備えたことを特徴とする。
【００１１】
上記の構成であれば、所定ボタンを操作するだけで選局情報が組み入れられた録画指令送信文字列が作成されて予め指定されている宛て先に送信される。よって、メーラを呼び出してユーザが録画指令情報となるメール文をわざわざ作成したり、或いは、ＷｅｂページのＥＰＧから番組を選択するといった操作は必要はなくなるので、テレビ番組を見ながら当該番組を家庭のビデオレコーダに録画させる処理を簡単に行うことができることになる。
【００１２】
上記構成のテレビ視聴機能付き携帯通信機器において、前記所定ボタンの操作回数で録画指令における録画時間が決定され、この録画時間に基づく文字列を組み入れて前記録画指令送信文字列を作成するように構成されていてもよい。また、前記録画指令送信文字列をメール文として送信することとしてもよい。また、ネットワーク上に存在するリソースへの到達方法を特定する表記に前記録画指令送信文字列を組み入れて送信することとしてもよい。
【００１３】
また、この発明のテレビ視聴機能付き携帯通信機器は、テレビ放送を受信する手段及び情報の通信機能を備えたテレビ視聴機能付き携帯通信機器において、所定ボタンが操作されたときに現在受信中のテレビ放送の選局情報が組み入れられた録画指令リモートコントロールコードを作成する手段と、前記録画指令リモートコントロールコードに基づいてリモートコントロール信号を送出する手段と、を備えたことを特徴とする。
【００１４】
上記の構成であれば、所定ボタンを操作するだけで選局情報が組み入れられた録画指令リモートコントロールコードが作成され、このコードに基づいたリモートコントロール信号が送出される。すなわち、屋外ではなく、家のなかでテレビ視聴機能付き携帯通信機器を用いてテレビ番組を視聴しているときに、このテレビ番組を家のビデオレコーダに録画させたいと思ったときには、上記所定ボタンを操作すればよいことになる。前記リモートコントロール信号を受け取ったビデオレコーダは、通常のリモートコントロール信号を受けたときと同様、選局情報に基づく選局処理及び録画処理を実行することになる。
【発明の効果】
【００１５】
この発明によれば、テレビ番組を見ながら当該番組を家庭のビデオレコーダに録画させる処理を簡単に行うことができるという効果を奏する。
【発明を実施するための最良の形態】
【００１６】
以下、この発明の実施形態のテレビ視聴機能付き携帯通信機器を図１乃至図４に基づいて説明する。
【００１７】
図１は、この実施形態のテレビ視聴機能付き携帯通信機器（以下、単に携帯電話という）１０を示したブロック図である。また、図２は録画予約システムの概略構成を示した説明図であり、このシステムは、携帯電話１０とサーバ３０とインターネット４０と家庭内に置かれたビデオレコーダ５０とから成る。ビデオレコーダ５０は、ネットワーク録画予約機能が搭載されている既存のビデオレコーダで実現できる。また、ネットワーク録画予約機能を実現するサーバ３０も既存のものが利用可能である。
【００１８】
図１のブロック図において、チューナ１１は、ユーザの選局操作による選局情報に基づいてテレビ放送波を受信し、復調・検波を行って映像信号を生成する。表示部１２は例えば液晶パネルから成り、前記テレビ放送の映像信号に基づいて映像表示を行う他、Ｗｅｂクライアント部１７により生成された画像の表示、図示しないＯＳＤ（オンスクリーンディスプレイ）回路にて生成された画像の表示などを行う。通信制御部１３は、Ｗｅｂクライアント部１７の動作時の通信処理、メール送受信部１８の動作時の通信処理などを行う。ＣＰＵ１４は携帯電話１０における各種処理を行う他、後述する録画のための文字列生成等に関わる処理も行う。また、ＣＰＵ１４の処理によりメモリ１５には現在のテレビチャンネル、現在の時刻、今日の日付が記録される。メモリ（ＲＯＭ、ＲＡＭ、ＥＥＰＲＯＭ、フラッシュメモリ等）１５には、各種プログラムなどが格納される。操作部１６には、テンキー、十字キー（矢印キー）、各種機能キーが設けられる。この実施形態では、操作部１６にビデオレコーダ録画ボタン（図示せず）を設けている。なお、ビデオレコーダ録画ボタンは専用のボタンでもよいし、或いは、画面上の表示で「録画」といった表記に位置的に対応しているボタンを用いる方式でもよいし、或いは、画面に表示されたボタンそのもの（タッチパネル方式）でもよいものである。
【００１９】
Ｗｅｂクライアント部１７は、インターネット上に存在するリソースへの到達方法を特定する表記（ＵＲＬ）を送信する処理、リソース側から送信されてくるＨＴＭＬファイル等を解釈して表示画像データを生成する処理等を行う。メール送受信部１８は、インターネット上のメールサーバからメールを受信したり、或いは前記メールサーバにメール文を送信する処理を行う。録画予約処理部１９は後述する録画予約処理を行う。データベース２０には各種データが格納される他、ユーザによって設定されたビデオレコーダ５０を特定する情報（メールアドレス、ＩＰアドレス、ホスト名など）、チャンネル→放送局ＩＤ対応表、合言葉など、ネットワーク録画予約に必要な情報が登録されている。電話部２１は本来の機能である電話のための処理を行う。
【００２０】
メール方式やデータ登録方式でサーバ３０からビデオレコーダ５０への情報のやり取りをメールで行う場合は、録画指令送信文字列として、例えば下記のフォーマットの文字列が録画予約処理部１９によって作成されてメール送受信部１８に与えられる。
【００２１】
ｏｐｅｎ〔あいことば〕ｔｖ〔放送局ＩＤ〕〔開始時刻〕〔終了時刻〕〔日付〕
また、データ登録方式やリアルタイム方式でビデオレコーダ５０への情報のやり取りをＷｅｂで行う場合は、録画指令送信文字列として、例えば下記のフォーマットのＵＲＬ文字列が録画予約処理部１９によって作成されてＷｅｂクライアント部１７に与えられる。
【００２２】
ｈｔｔｐ：／／〔サーバ名〕／〔サーバ内のＣＧＩプログラムパス〕？ｉｄ＝〔放送局ＩＤ〕＆ｗｏｒｄ＝〔あいことば〕＆ｓｔａｒｔ＿ｔｉｍｅ＝〔開始時刻〕＆ｅｎｄ＿ｔｉｍｅ＝〔終了時刻〕＆ｄａｔｅ＝〔日付〕
図４にＣＰＵ１４及び録画予約処理部１９の処理内容を示す。ＣＰＵ１４は、ビデオレコーダ録画ボタンの押下を検出すると（ステップＳ１でＹＥＳ）、一定時間内の押下回数をカウントする（ステップＳ２）。例えば、押下された回数が１回であれば３０分、２回であれば１時間といったように、ボタンが押下された回数から録画時間を算出する（ステップＳ３）。現在時刻と録画時間より、録画終了時刻を算出し、メモリ１５に保存する（ステップＳ４）。データベース２０に格納されている放送局ＩＤ対応表を参照し、現在の選択チャンネルから放送局ＩＤを特定し、メモリ１５に保存する（ステップＳ５）。更に、あいことばをメモリ１５に保存する（ステップＳ６）。メモリ１５に保存した放送局ＩＤ、合言葉、現在の時刻（録画開始時刻とする）、録画終了時刻、今日の日付より、ビデオレコーダ５０側の録画予約方式に合わせた送信データ（録画指令送信文字列）を作成する（ステップＳ７）。そして、各方式のプロトコルでビデオレコーダ５０へデータを送信する（ステップＳ８）。なお、ビデオレコーダ５０に送られる情報のフォーマットは、この実施形態では従来のネットワーク録画予約機能で送られてくる情報のフォーマットと同じとしており、ビデオレコーダ５０側では従来のネットワーク録画予約と同じように処理することで録画予約が完了する。
【００２３】
ビデオレコーダ５０における録画予約のための構成例を図３に示す。この構成図において、ネットワーク録画予約機能を実現しているのが録画情報受信部５１と録画予約登録部５２である。録画情報受信部５１は上記のネットワーク録画予約機能の各方式によって、ＰＯＰ（メール受信プロトコル）クライアントやＨＴＴＰ（Ｗｅｂプロトコル）サーバとして機能することになる。
【００２４】
メール方式やデータ登録方式でサーバからビデオレコーダへの情報のやり取りがメールでされている場合は、先にも説明したが、下記のフォーマットの文字列がメールに書かれて録画情報受信部であるＰＯＰクライアントに届く。
【００２５】
ｏｐｅｎ〔あいことば〕ｔｖ〔放送局ＩＤ〕〔開始時刻〕〔終了時刻〕〔日付〕
これらの情報は録画予約登録部５２に渡され、録画予約登録部５２は、決められたフォーマットのものかどうかをチェックし、録画に必要な情報を抽出し、録画予約情報データベース５３に登録する。
【００２６】
一方、データ登録方式やリアルタイム方式でデータサーバからビデオレコーダへの情報のやり取りがＷｅｂでされている場合は、先にも説明したが、下記のフォーマットのＵＲＬの要求が録画情報受信部５２であるビデオレコーダ５０内のＷｅｂサーバに送られる。
【００２７】
ｈｔｔｐ：／／〔サーバ名〕／〔サーバ内のＣＧＩプログラムパス〕？ｉｄ＝〔放送局ＩＤ〕＆ｗｏｒｄ＝〔あいことば〕＆ｓｔａｒｔ＿ｔｉｍｅ＝〔開始時刻〕＆ｅｎｄ＿ｔｉｍｅ＝〔終了時刻〕＆ｄａｔｅ＝〔日付〕
この場合、録画予約登録部５２は、サーバ内のＣＧＩ（commom gateway interface）プログラムであり、ＣＧＩプログラムは‘？’以降の情報を抽出し、録画予約情報データベースに登録する。上記の例はＧＥＴ（ドキュメントの取得）リクエストの場合を示しているが、ＰＯＳＴ（サーバにデータを送信する）リクエストの場合も同様にＣＧＩプログラムで番組情報（選局情報）を取得することができる。
【００２８】
このように、各方式で使われるプロトコルにより録画情報受信部５１が受け取った録画番組情報（録画指令内容）は録画予約登録部５２に渡される。録画予約登録部５２は、必要な番組情報を抽出し、これを録画予約情報データベース５３に登録する。ＣＰＵ５４は、録画予約情報データベース５３の情報に基づいて、指定の時刻になると、録画部（放送受信機能付き）５５に対して指定の番組を録画するように指示することにより録画が開始される。
【００２９】
なお、図４に示したフローチャートでは、「ビデオレコーダ録画ボタン」の押下回数で録画時間を決定し、録画終了時刻を算出していたが、放送波などからＥＰＧを取得して携帯電話１０のメモリ１５中にＥＰＧを保存している場合は、現在見ている番組をＥＰＧから検索し、その終了時刻を自動的に特定することが可能であるため、この時刻を使って録画予約を行うようにしてもよい。また、ビデオレコーダ５０側でＥＰＧを保存している場合、ビデオレコーダ側で番組を特定することができるため、録画時間を送信せずとも、現在視聴しているチャンネル等と現在の時刻を送信することで、ビデオレコーダ側で録画予約時間を設定することができる。
【００３０】
また、ビデオレコーダ５０への情報のやり取りがメールやＷｅｂ以外の場合であっても、その方式によって定型のフォーマットの情報が録画情報受信部５１に届き、録画予約登録部５２で番組情報の取得が可能である。上記の実施形態では、メールやＷｅｂでビデオレコーダ５０に指令を与えたが、通常のリモートコントローラの機能を携帯電話１０に持たせてビデオレコーダ５０に指令を与えることとしてもよい。すなわち、ＣＰＵ１４はビデオレコーダ録画ボタンが操作されたときに現在受信中のテレビ放送の選局情報を組み入れて録画指令リモートコントロールコードを作成し、図示しない赤外線発光部が前記録画指令リモートコントロールコードに基づいてリモートコントロール信号を送出する構成としてもよい。かかる構成であれば、ビデオレコーダ録画ボタンを操作するだけで選局情報が組み入れられた録画指令リモートコントロールコードが作成され、このコードに基づいたリモートコントロール信号が送出される。すなわち、屋外ではなく、家のなかで携帯電話１０を用いてテレビ番組を視聴しているときに、このテレビ番組を家のビデオレコーダ５０に録画させたいと思ったときには、上記ビデオレコーダ録画ボタンを操作すればよいことになる。前記リモートコントロール信号を受け取ったビデオレコーダ５０は、通常のリモートコントロール信号を受けたときと同様、選局情報に基づく選局処理及び録画処理を実行することになる。なお、最初のビデオレコーダ録画ボタン操作では、ビデオレコーダ５０に対するＯＮコードは含まないことし、２回目のビデオレコーダ録画ボタンボタン操作では、ビデオレコーダ５０に対するＯＮコードを含めることとしてもよい。ビデオレコーダ５０がＯＮ状態であれば、最初のボタン操作でビデオレコーダが動作することになる。一方、ビデオレコーダがＯＦＦ状態であれば、２回目のボタン操作でビデオレコーダ５０が動作することになる。
【図面の簡単な説明】
【００３１】
【図１】この発明の実施形態のテレビ視聴機能付き携帯通信機器（携帯電話）の構成を示したブロック図である。
【図２】録画予約システムの概要を示した説明図である。
【図３】ビデオレコーダの構成を示したブロック図である。
【図４】録画予約のための処理内容を示したフローチャートである。
【図５】メール方式による録画予約システムを示した説明図である。
【図６】データ登録方式による録画予約システムを示した説明図である。
【図７】リアルタイム方式による録画予約システムを示した説明図である。
【符号の説明】
【００３２】
１０    携帯電話（テレビ視聴機能付き携帯通信機器）
１１    チューナ
１３    通信制御部
１６    操作部
１７    Ｗｅｂクライアント部
１８    メール送受信部
１９    録画予約処理部
【図１】
2006020248.tif 000003
【図２】
2006020248.tif 000004
【図３】
2006020248.tif 000005
【図４】
2006020248.tif 000006
【図５】
2006020248.tif 000007
【図６】
2006020248.tif 000008
【図７】
2006020248.tif 000009